(57)【要約】【課題】置物装置の伸縮架台の提供。【解決手段】本考案は一種の置物装置の伸縮架台に関わるものである。該架台は主に、複数の棒より構成し、それぞれの棒は固定手段により固定した後、置物装置内部の隅またはその外部の適切場所に取付ける。すべての棒は自在に伸縮固定可能な脚と枢接し、高さを自在に伸縮可能な架台を形成する。架台は分離して置物装置に固定する台座を設け、利用者は置物装置を携帯して旅行また外出先において、撮影が必要なときは、棒の脚を延ばすことにより、脚と棒とを固定して、高さを上げた架台を形成した後、録画装置を台座に固定し、本考案による置物装置は汚いまたは水のたまる床を離れる。利用者は三脚を使用することなく、撮影が行えるため、旅行または外出ときの携帯品を軽減できる。【選択図】図１
0003127274.tif 000002
【実用新案登録請求の範囲】
【請求項１】
架台、棒、脚、台座を具え、架台に複数の棒を設け、棒は固定手段により、置物装置内部または外部に固定し、棒は自在に伸縮固定する脚と枢接し、架台と分離して置物装置に固定する台座を設け、台座は録画装置の取付けに備えることを特徴とする置物装置の伸縮架台。
【請求項２】
請求項１記載の置物装置の伸縮架台において、固定手段はベルクロ、締結リング、はさみ部材または固定台を設けることを特徴とする置物装置の伸縮架台。
【請求項３】
請求項１記載の置物装置の伸縮架台において、該台座と複数の棒との間は、角度を形成するかまたは垂直のアームと連結するほか、台座はアームに固定し、アームはらせん状回転、固定バネ、または定位置締結により、棒と伸縮固定することを特徴とする置物装置の伸縮架台。
【考案の詳細な説明】
【技術分野】
【０００１】
本考案は一種の置物装置の伸縮架台、特に、一種の固定手段により、複数の棒を置物装置に固定する架台、すべての棒は自在に伸縮固定する脚に枢接し、架台は置物装置と分離して置物装置に固定する台座を設け、台座に録画装置を台座に取り付けることができる。
【背景技術】
【０００２】
週休二日の時代に伴う国民所得の引き上げにより、人々がむやみに物的生活を追究するほか、精神的分野のリクリエーション生活も徐々に注目されるようになった。このため、多くの企業は従業員が勤務外の時間は、文芸場所、知性展示会、風景名勝地、野外散策など、屋外に出かけることを奨励していることから、人々が職場の事務処理の圧力環境と暮らしの雑多を離れて、自由自在の余暇環境を楽しむことができるようになった。そこで、様々なリクリエーション活動のうち、数日を連続した遠隔地への旅行は、もっとも歓迎され、未知で新鮮な環境で、新しい心境を追求し、より幅広い視野を広げる。
【０００３】
一方、旅行にもっとも重要な道具は、旅行かばん／トランクである。旅行かばん／トランクの容量が大きいと携帯の便利性から、旅に必要な衣類、個人の支度品、および旅先の見聞を記録するための録画装置などは、すべて旅行かばん／トランクに収納できる。
【０００４】
そして、カメラ、撮影機などの録画装置は、フィルム、録画テープまたは電子映像の方式により、旅先の見聞を記録することができる。撮像するときは、素手によるほか、録画装置を三脚に固定する方法も周知の一つ方法である。この装置により、撮像者による撮像画面の選択、観察およびアイリス、シャッターまたは絞りなどの調節に専念することができる。その上、撮影するときの手振れなどによる撮像失敗を避けられる。
【０００５】
録画装置は軽薄短小に発展しつつあるが、撮像用の三脚の体積と重量は効率よく小型化することができない。そのうち、高さの大きい三脚は高い高度を実現するため、より多くの伸縮段数（セクション）を設けなければならない。収納のとき、各伸縮セクションを閉合する。また、閉合した後の三脚の重量が重いほか、三脚架台の径が大きくなり、三脚全体の重量に影響する。このため、旅行かばん／トランクに三脚を収納するために、余分な空間を必要とする。
【０００６】
さらに、撮像するとき、三脚は旅行かばん／トランクより取り出して、撮像した後に、閉合して旅行かばん／トランクに収納必要がある。このため、旅行の貴重な時間を浪費するときがある。旅先または撮像場所は、床が不潔または水たまりなど、旅行かばん／トランクをそのまま床に置くことができない。このため、置く場所の問題を新たに発生する。
【考案の開示】
【考案が解決しようとする課題】
【０００７】
本考案の主な目的は、架台と分離して置物装置に固定する台座を設け、台座は録画装置の取付けに備える。架台は複数の棒を設け、すべての棒は固定手段により、置物装置内部の隅付近または外部の適切場所に設ける。棒は伸縮固定する脚を設ける。旅行するとき、置物装置の架台を延ばして、架台の高さを上げることにより、不潔または水たまり場所に接触することを避ける。また、録画装置を台座後部に固定することにより、直接に撮像できる。そして、撮像完了後、脚とアームをもとの位置に戻すことができる。このため、撮像専用の三脚を携帯必要がなく、旅行するときの携帯物品の重量を軽減する。
【課題を解決するための手段】
【０００８】
請求項１の考案は、架台、棒、脚、台座を具え、架台に複数の棒を設け、棒は固定手段により、置物装置内部または外部に固定し、棒は自在に伸縮固定する脚と枢接し、架台と分離して置物装置に固定する台座を設け、台座は録画装置の取付けに備えることを特徴とする置物装置の伸縮架台としている。
請求項２の考案は、請求項１記載の置物装置の伸縮架台において、固定手段はベルクロ、締結リング、はさみ部材または固定台を設けることを特徴とする置物装置の伸縮架台としている。
請求項３の考案は、請求項１記載の置物装置の伸縮架台において、該台座と複数の棒との間は、角度を形成するかまたは垂直のアームと連結するほか、台座はアームに固定し、アームはらせん状回転、固定バネ、または定位置締結により、棒と伸縮固定することを特徴とする置物装置の伸縮架台としている。
【考案の効果】
【０００９】
本考案は使用するとき、公知技術に比べて、以下の特長を有する。
（１）  旅行または外出先において撮像するとき、置物装置を撮像または撮影の三脚として使用できる。新たに撮像するための三脚を携帯必要がなおため、置物装置内部の収容空間をより効率的の利用ができ、利用者はその他の支度品の収納に便利する。
（２）  架台の脚は素早くに伸縮し、利用者の必要に応じて、伸縮長さを調節することにより、使用の便利性を与えるほか、架台は置物装置にくっついて移動することができるため、置物装置を携帯すると、架台も併せて移動できる。いずでも、どこでも使用できる目的を実現する。
（３）  置物装置を床に置くとき、脚により置物装置を高く持ち上げて、床を離しておく、床に不潔または水たまりがあるとき、置物装置の汚れまたは浸水を有効に防止できる。
【考案を実施するための最良の形態】
【００１０】
図１、図２に示すものは、本考案の好ましい実施例による外観図と作動概略図である。図示のとおり、置物装置１の適切場所に架台２を設け、該架台２は三つまたは以上の棒２１を設け、棒２１それぞれは固定手段２２により、置物装置１内部の隅付近場所または外部の適切場所に固定することができる。棒２１は自在に伸縮し固定する脚２３に枢接することにより、棒２１の脚２３はらせん状の回転、固定バネ、または定位置締結により、伸縮して固定することができる。
【００１１】
架台２と分離して台座２４を設け、台座體２４はネジ締めつけ、リベット接合、噛み合わせ、またはベルクロ接着方式により、置物装置１外部の適切場所に固定する。
【００１２】
この構造により、撮像するときは、架台２の脚２３を必要な長さになるよう外部に延ばしておく、置物装置１を不潔または水たまり場所との接触を避け、引き続きに、置物装置１と架台２を立ておき、高架した脚架台を類似する状態を形成する。引き続きに、録画装置３（カメラまたは撮影機）を架台２に備える台座２４に取り付けることにより、利用者は新たに撮像するための三脚を携帯しないまま。撮像することができる。撮像完了後、録画装置３を架台２の台座２４より取り外した後、架台２の脚２３を外側から内側へ棒２１に引き込んで、素早く閉合機能を実現する。
【００１３】
図１、図３に示すものは、本考案の好ましい実施例による立体外観図と固定手段の好ましい実施例図(一)である。図示のとおり、固定手段２２は三つまたは以上のベルクロ２２１より実施する。それぞれのベルクロ２２１は置物装置１内部の隅付近場所または外部の適切場所に設け、架台２に備える複数の棒２１を置物装置１に固定するとき、ベルクロ２２１を架台２に備える棒２１を巻き付け、架台２に備える棒２１を置物装置１内部の隅付近場所または外部の適切場所に固定する。
【００１４】
図１、図４に示すものは、本考案の好ましい実施例による立体外観図と固定手段の好ましい実施例図(二)である。図示のとおり、固定手段２２は三つまたは以上の締結リング２２２より実施する。それぞれの締結リング２２２は置物装置１内部の隅付近場所または外部の適切場所に設け、に備える複数の棒２１を置物装置１に固定するとき、締結リング２２２により、架台２の棒２１を巻き付けて、架台２に備える棒２１を置物装置１内部の隅付近場所または外部の適切場所に固定する。
【００１５】
図１、図５に示すものは、本考案の好ましい実施例による立体外観図と固定手段の好ましい実施例図(三)である。図示のとおり、固定手段２２は三つまたは以上のはさみ部材２２３より実現する。それぞれのはさみ部材２２３は置物装置１内部の隅付近場所または外部の適切場所に設け、架台２に備える複数の棒２１を置物装置１に固定するとき、はさみ部材２２３を架台２に備える棒２１を巻き付け、架台２に備える棒２１を置物装置１内部の隅付近場所または外部の適切場所に固定する。
【００１６】
図１、図６に示すものは、本考案の好ましい実施例による立体外観図と固定手段の好ましい実施例図(四)である。図示のとおり、固定手段２２は一つまたは以上のベルクロ２２４と固定台２２５を設け、ベルクロ２２４を置物装置１内部の適切場所に設け、固定台２２５と架台２に備える棒２１と連結した後、ベルクロ２２４を固定台２２５包巻き付けて、架台２に備える棒２１を置物装置１内部に固定する。該ベルクロ２２４はさらに、締結リング２２２またははさみ部材２２３を設けても良い。
【００１７】
前記の固定手段２２により、架台２に備える棒２１を置物装置１内部の隅付近場所または外部の適切場所に固定する。置物装置１は搬送または移動するとき、架台２に備える棒２１は置物装置１より抜け出すことがない。なお、棒２１の脚２３は引き延ばすとき、棒２１はずれや傾きを発生しない。一方、架台２に備える棒２１は固定手段２２より置物装置１に固定されたため、置物装置１は架台２の脚２３により、架台２に備える棒２１は傾きやずれを発生しない。利用者は置物装置１の崩れを心配することなく、安心に使用することができる。
【００１８】
以上に説明した本考案の固定手段２２は、架台２の棒２１を固定するときの実施例であり、架台２に備える複数の棒２１を置物装置１に固定する固定手段２２も色々ある。
【００１９】
前記の置物装置１は、荷物バッグ、荷物トランク、旅行バッグ、旅行トランク、撮影器材ボックスまたはリュックサックなどを使用しても良い。
【００２０】
図７、図８に示すものは、本考案もう一つの好ましい実施例の立体外観図と作動概略図である。図示のとおり、置物装置１内部に収納空間１０を設け、収納空間１０内部に架台２を設ける。架台２に複数の棒２１を設け、固定手段２２により、置物装置１内部の隅付近場所に固定する。棒２１の片側は、自在に伸縮し固定する脚２３と枢接し、該複数の棒２１は脚２３の寄り側は、自在に伸縮し固定するアーム２５を設ける。前記の脚２３、アーム２５と棒２１の枢接方法は、らせん状回転、固定バネまたは定位置締結のいずれを使用する。さらに、アーム２５は棒２１から離れた一端はネジ締めつけ、リベット接合、噛み合わせ、またはベルクロ接着方式により、台座２４に固定する。この構造により、撮像するとき、置物装置１の蓋体１１を持ち上げて、架台２に備える棒２３とアーム２５は必要な高さになるまで外部に延ばしておく、引き続きに、録画装置３（カメラまたは撮影機など）を置物装置１の台座２４に固定することにより、利用者は新たに撮像するための三脚を携帯必要がない。脚２３とアーム２５を必要に応じて引き延ばし、素早く展開と閉合の機能を実現する。
【００２１】
図９に示すものは、本考案のさらに一つの好ましい実施例である。図示のとおり、本考案による架台２に備える複数の棒２１の間に、もう一つタイプのアーム２５１に接続し、アーム２５１同士は互いに連結する。アーム２５１に録画装置３を取り付ける。置物装置１の蓋体１１を持ち上げた後、利用者は架台２に備える棒２３とアーム２５１を延ばして、置物装置１を高架形態に形成することにより、架台２に備える棒２３とアーム２５１はずれや傾きを発生しない。
【００２２】
図２、図８、図１０に示すものは、本考案の好ましい実施例による作動概略図、もう一つ好ましい実施例の作動概略図と伸縮固定態様の概略図である。図示のとおり、架台２に備える複数の棒２１は複数の固定孔２１１を設け、棒２１の一端に備える脚２３は複数の固定突起部２３１を設ける。架台２に備える脚２３は外部に延ばすとき、脚２３の固定突起部２３１は棒２１に備える固定孔２１１に固定され、脚２３を引き延ばした後の長さを維持し、脚２３を引き延ばした状態で固定できる。棒２１に備える脚２３とアーム２５はさらに、らせん状回転、固定バネ、または定位置締結により、棒２１と伸縮固定することができる。
【００２３】
前記の棒２１、脚２３およびアーム２５の伸縮固定における好ましい実施例を説明のほか、棒２に連結する脚２１または棒２に連結するアーム２５を自在に伸縮および固定する方法は、ほかにもできる。
【００２４】
前記の置物装置１は、荷物バッグ、荷物トランク、旅行バッグ、旅行トランク、撮影器材ボックスまたはリュックサックなどを使用しても良い。
【図面の簡単な説明】
【００２５】
【図１】本考案の好ましい実施例による立体外観図である。
【図２】本考案の好ましい実施例による動作概略図である。
【図３】本考案による固定手段の好ましい実施例の図(一)である。
【図４】本考案による固定手段の好ましい実施例の図(二)である。
【図５】本考案による固定手段の好ましい実施例の図(三)である。
【図６】本考案による固定手段の好ましい実施例の図(四)である。
【図７】本考案もう一つの好ましい実施例による立体外観図である。
【図８】本考案もう一つの好ましい実施例による動作概略図である。
【図９】本考案のさらに一つの好ましい実施例による動作概略図である。
【図１０】本考案による伸縮固定の概略図である。
【符号の説明】
【００２６】
１  置物装置
１０  収納空間
１１  蓋体
２  架台
２１  棒
２１１  固定孔
２２  固定手段
２２１  ベルクロ
２２２  締結リング
２２３  はさみ部材
２２４  ベルクロ
２２５  固定台
２３  脚
２３１  固定突起部
２４  台座
２５  アーム
２５１  アーム
３  録画装置
【図１】
0003127274.tif 000003
【図２】
0003127274.tif 000004
【図３】
0003127274.tif 000005
【図４】
0003127274.tif 000006
【図５】
0003127274.tif 000007
【図６】
0003127274.tif 000008
【図７】
0003127274.tif 000009
【図８】
0003127274.tif 000010
【図９】
0003127274.tif 000011
【図１０】
0003127274.tif 000012
【手続補正書】
【提出日】平成18年9月19日(2006.9.19)
【手続補正１】
【補正対象書類名】実用新案登録請求の範囲
【補正対象項目名】請求項２
【補正方法】変更
【補正の内容】
【請求項２】
請求項１記載の置物装置の伸縮架台において、固定手段はベルクロ(登録商標)、締結リング、はさみ部材または固定台を設けることを特徴とする置物装置の伸縮架台。
【手続補正２】
【補正対象書類名】明細書
【補正対象項目名】０００８
【補正方法】変更
【補正の内容】
【０００８】
請求項１の考案は、架台、棒、脚、台座を具え、架台に複数の棒を設け、棒は固定手段により、置物装置内部または外部に固定し、棒は自在に伸縮固定する脚と枢接し、架台と分離して置物装置に固定する台座を設け、台座は録画装置の取付けに備えることを特徴とする置物装置の伸縮架台としている。
請求項２の考案は、請求項１記載の置物装置の伸縮架台において、固定手段はベルクロ(登録商標)、締結リング、はさみ部材または固定台を設けることを特徴とする置物装置の伸縮架台としている。
請求項３の考案は、請求項１記載の置物装置の伸縮架台において、該台座と複数の棒との間は、角度を形成するかまたは垂直のアームと連結するほか、台座はアームに固定し、アームはらせん状回転、固定バネ、または定位置締結により、棒と伸縮固定することを特徴とする置物装置の伸縮架台としている。